(57)【要約】【課題】暗証情報の入力操作性を向上させた非接触ＩＣカードリーダ装置を得る。【解決手段】操作入力情報Ａを入力する操作手段１と、操作入力情報Ａを一時的に記憶する一時記憶手段３と、ＩＣカード６がかざされるＩＣカードＩ／Ｆ手段５とを備え、ＩＣカードＩ／Ｆ手段５は、固有情報Ｄに対応した既知情報を格納する手段と、ＩＣカード６がかざされたときにＩＣカード６を活性化して固有情報Ｄを読み取る手段と、固有情報Ｄと既知情報との照合を行う手段と、固有情報照合結果がＯＫを示す場合に一時記憶手段３内の操作入力情報ＡをＩＣカード６に送信する手段と、ＩＣカード６からの暗証情報照合結果を受信する手段とを含む。【選択図】図１
2005071178.tif 000002
【特許請求の範囲】
【請求項１】
所有者の固有情報および暗証情報が設定されたＩＣカードが非接触でかざされることにより、前記固有情報を読み取るとともに前記暗証情報に対応した操作入力情報を前記ＩＣカードに送信するとともに、前記固有情報および前記暗証情報の各照合結果に応答した通知を行うための非接触ＩＣカードリーダ装置であって、
前記操作入力情報を入力するために操作される操作手段と、
前記操作入力情報を一時的に記憶する一時記憶手段と、
前記ＩＣカードがかざされるＩＣカードＩ／Ｆ手段とを備え、
前記ＩＣカードＩ／Ｆ手段は、
前記固有情報に対応した既知情報を格納する既知情報格納手段と、
前記ＩＣカードがかざされたときに前記ＩＣカードを活性化して前記固有情報を読み取る固有情報読取手段と、
前記固有情報と前記既知情報との照合を行う固有情報照合手段と、
前記固有情報照合手段の照合結果がＯＫを示す場合に、前記一時記憶手段内に記憶された操作入力情報を前記ＩＣカードに送信する送信手段と、
前記ＩＣカード内の暗証情報と前記操作入力情報との暗証情報照合結果を前記ＩＣカードから受信する受信手段と
を含むことを特徴とする非接触ＩＣカードリーダ装置。
【請求項２】
前記一時記憶手段に前記操作入力情報が記憶された時点から、前記ＩＣカードが前記ＩＣカードＩ／Ｆ手段にかざされるまでの経過時間を監視するカード操作監視部を備え、
前記カード操作監視部は、前記暗証情報照合結果が取得された時点で、前記一時記憶手段に記憶された操作入力情報をクリアする情報消去手段を含むことを特徴とする請求項１に記載の非接触ＩＣカードリーダ装置。
【請求項３】
前記カード操作監視部内の情報消去手段は、前記経過時間が所定時間以上を示す場合に、前記一時記憶手段内の操作入力情報をクリアすることを特徴とする請求項２に記載の非接触ＩＣカードリーダ装置。
【請求項４】
前記固有情報は、ＩＤ番号からなり、前記暗証情報は、ＰＩＮ情報からなることを特徴とする請求項１から請求項３までのいずれか１項に記載の非接触ＩＣカードリーダ装置。
【発明の詳細な説明】
【技術分野】
【０００１】
この発明は、ドアの開閉などに用いられるＩＣカードの所有者を認証するための暗証情報を、他人に知られることなく入力することのできる非接触ＩＣカードリーダ装置に関し、特に暗証情報（操作入力情報）の入力操作性を向上させた非接触ＩＣカードリーダ装置に関するものである。
【背景技術】
【０００２】
従来の非接触ＩＣカードリーダ装置においては、たとえばＰＩＮ（Ｐｅｒｓｏｎａｌ  Ｉｄｅｎｔｉｆｉｃａｔｉｏｎ  Ｎｕｍｂｅｒ）を暗証番号として使用する場合に、ＩＣカードをリーダにかざしてＩＣカードが活性化された後で、個人識別用のＩＤ番号を読み出して照合を行い、ＩＤ番号の照合結果がＯＫであれば、テンキーなどの入力装置から暗証番号（ＰＩＮ）をＩＣカードに送信している。
その後、操作入力されたＰＩＮ（操作入力情報）とＩＣカード内に設定されたＰＩＮとの照合結果をＩＣカードから受信して、ＩＣカードの照合（ＯＫまたはＮＧの判別）が行われ、最終的な照合結果がＯＫを示す場合にはドアを開放するなどの応答制御を行い、照合結果の通知後にＩＣカードを非活性化して処理を終了するようになっている（たとえば、特許文献１参照）。
【０００３】
【特許文献１】特開２０００−１４８９６２号公報
【発明の開示】
【発明が解決しようとする課題】
【０００４】
従来の非接触ＩＣカードリーダ装置では、上記のように、ＩＣカードを活性化した後で暗証番号を操作入力しているので、ＩＣカードをリーダ（ＩＣカードＩ／Ｆ手段）にかざしたまま暗証番号を入力することになり、十分に注意していないとＩＣカードが通信範囲から逸脱してしまったり、暗証番号の入力操作が困難になるおそれがあるという課題があった。
【０００５】
この発明は、上記のような課題を解決するためになされたもので、ＩＣカードを活性化してＩＣカード内の固有情報（ＩＤ番号）を読み込む前に、暗証情報（ＰＩＮ）を取り込んで一時記憶させておくことにより、暗証情報（操作入力情報）の入力操作性を向上させた非接触ＩＣカードリーダ装置を得ることを目的とする。
【課題を解決するための手段】
【０００６】
この発明による非接触ＩＣカードリーダ装置は、所有者の固有情報および暗証情報が設定されたＩＣカードが非接触でかざされることにより、固有情報を読み取るとともに暗証情報に対応した操作入力情報をＩＣカードに送信するとともに、固有情報および暗証情報の各照合結果に応答した通知を行うための非接触ＩＣカードリーダ装置であって、操作入力情報を入力するために操作される操作手段と、操作入力情報を一時的に記憶する一時記憶手段と、ＩＣカードがかざされるＩＣカードＩ／Ｆ手段とを備え、ＩＣカードＩ／Ｆ手段は、固有情報に対応した既知情報を格納する既知情報格納手段と、ＩＣカードがかざされたときにＩＣカードを活性化して固有情報を読み取る固有情報読取手段と、固有情報と既知情報との照合を行う固有情報照合手段と、固有情報照合手段の照合結果がＯＫを示す場合に、一時記憶手段内に記憶された操作入力情報をＩＣカードに送信する送信手段と、ＩＣカード内の暗証情報と操作入力情報との暗証情報照合結果をＩＣカードから受信する受信手段とを含むものである。
【発明の効果】
【０００７】
この発明によれば、ＩＣカード内の固有情報が読み込まれる前に、操作入力情報が取り込まれて記憶されるので、ＩＣカード内の暗証情報に対応した操作入力情報の入力操作性を向上させることができる。
【発明を実施するための最良の形態】
【０００８】
実施の形態１．
図１はこの発明の実施の形態１が適用される非接触ＩＣカードリーダを機能的に示すブロック図であり、図２はこの発明の実施の形態１による処理手順を示すフローチャートである。
図１において、ＩＣカード情報を読み取る非接触ＩＣカードリーダ装置は、入力装置１と、入力モード切替部２と、暗証番号一時記憶部３と、カード操作監視部４と、ＩＣカード６が非接触でかざされるＩＣカードＲ／Ｗ５とを備えている。
ＩＣカード６には、あらかじめ、所有者の固有情報（ＩＤ番号）および暗証情報（ＰＩＮ）が設定されており、設定された暗証情報とこれに対応して入力された操作入力情報Ａとを照合する暗証情報照合手段を含む。
なお、ここでは、煩雑さを回避するために各ブロック間の矢印を一部省略しているが、各ブロックは相互に関連しており、たとえば、入力モード切替部２は暗証番号一時記憶部３に関連し、カード操作監視部４はＩＣカードＲ／Ｗ５に関連している。
【０００９】
入力装置１は、外部から操作されるテンキーなどを含み、ＩＣカード６内にあらかじめ設定された暗証番号（ＰＩＮ）に対応した操作入力情報Ａ（以下、便宜的に「暗証番号Ａ」ともいう）を入力するための操作手段を構成している。
入力モード切替部２は、入力装置１からの操作入力情報Ａの入力開始状態（ヘッダ）を判別し、操作入力情報Ａのヘッダに応答してモード切替指令を生成し、入力装置１を暗証番号Ａの入力モードに切替える。
また、入力モード切替部２は、後述するように、暗証番号一時記憶部３内に暗証番号Ａが記憶された時点で、カード操作監視部４に対して監視開始指令を出力する。
暗証番号一時記憶部３は、モード切替指令に応答して入力装置１から取り込まれた暗証番号Ａを一時的に記憶する。
【００１０】
カード操作監視部４は、入力モード切替部２からの監視開始指令に応答して起動し、暗証番号Ａが一時記憶された時点からＩＣカードＲ／Ｗ５にＩＣカード６がかざされるまでの経過時間を監視する。
また、カード操作監視部４は、暗証番号一時記憶部３に対する情報消去手段を含み、暗証番号Ａが一時記憶された時点からＩＣカード６が操作されるまでの経過時間が、所定時間以上を示す時点で、タイムアウトと見なしてクリア指令Ｃを生成し、暗証番号一時記憶部３内に記憶された暗証番号をクリアする。
また、カード操作監視部４は、ＩＣカードＲ／Ｗ５がＩＣカード６から暗証番号照合結果Ｂを取得した時点（照合処理完了時）で、照合終了と見なしてクリア指令Ｃを生成し、暗証番号一時記憶部３内に記憶された暗証番号Ａをクリアする。
【００１１】
ＩＣカードＲ／Ｗ５は、ＩＣカード６がかざされたときに、ＩＣカード６を活性化してＩＣカード６からＩＤ番号Ｄを読み込むとともに、必要に応じてＩＣカード６に新規データまたは更新データを書き込む。
具体的には、ＩＣカードＲ／Ｗ５は、固有情報（ＩＤ番号）に対応した既知情報を格納する既知情報格納手段と、ＩＣカード６がかざされたときにＩＣカード６を活性化して固有情報を読み取る固有情報読取手段と、固有情報と既知情報との照合を行う固有情報照合手段と、固有情報照合手段の照合結果（ＩＤ番号照合結果）がＯＫを示す場合に、暗証番号一時記憶部３内に記憶された操作入力情報ＡをＩＣカード６に送信する送信手段と、ＩＣカード６内の暗証情報と操作入力情報Ａとの暗証情報照合結果ＢをＩＣカード６から受信する受信手段とを含む。
【００１２】
次に、図１のブロック図とともに図２のフローチャートを参照しながら、この発明の実施の形態１による非接触ＩＣカードリーダ装置について説明する。
図２において、各ステップＳＴ１〜ＳＴ５およびＳＴ１４は、新規に追加された処理であり、他の処理（ステップＳＴ６〜ＳＴ１３およびＳＴ１５）は従来と同様の処理に相当している。
【００１３】
この場合、ＩＣカードＲ／Ｗ５がＩＣカード６を活性化してＩＣカード６内のＩＤ番号Ｄを読み込む前に、入力装置１からの操作入力情報Ａ（暗証番号）を取り込み、暗証番号一時記憶部３に記憶させるようになっている。
まず、入力装置１から暗証番号Ａが入力されると、これに応答して、入力モード切替部２は、入力装置１を暗証番号入力モードに切替える（ステップＳＴ１）。
続いて、ＩＣカード６の所有者が外部操作することにより、暗証番号一時記憶部３への暗証番号Ａの入力が行われる（ステップＳＴ２）。
【００１４】
入力装置１から取り込まれた暗証番号Ａは、暗証番号一時記憶部３に一時的に記憶される（ステップＳＴ３）。
また、暗証番号Ａが一時記憶されると同時に、入力モード切替部２から監視開始指令が生成され、カード操作監視部４は、所定時間内にＩＣカード６が操作されるか否かのタイマ監視を開始する（ステップＳＴ４）。
次に、カード監視開始からの経過時間が所定時間以上である（タイムアウトした）か否かを判定し（ステップＳＴ５）、タイムアウトした（すなわち、ＹＥＳ）と判定されれば、直ちにステップＳＴ１４に進み、暗証番号一時記憶部３内に記憶された暗証番号Ａをクリアする。
【００１５】
一方、ステップＳＴ５において、カード監視開始から所定時間が経過しておらず、タイムアウトでない（すなわち、ＮＯ）と判定されれば、続いて、ＩＣカードＲ／Ｗ５にＩＣカード６がかざされたか否かを判定する（ステップＳＴ６）。
ステップＳＴ６において、ＩＣカード６がかざされていない（すなわち、ＮＯ）と判定されれば、直ちに図２の処理ルーチンを終了してステップＳＴ１に戻り、ＩＣカード６がかざされた（すなわち、ＹＥＳ）と判定されれば、ＩＣカード６を活性化して（ステップＳＴ７）、ＩＣカード６からＩＤ番号Ｄを読み込み（ステップＳＴ８）、ＩＤ番号Ｄが既知情報と一致するか否かにより、ＩＤ番号Ｄの照合がＯＫか否かを判定する（ステップＳＴ９）。
【００１６】
ステップＳＴ９において、ＩＤ番号照合結果がＯＫでない（すなわち、ＮＯ）と判定されれば、直ちにステップＳＴ１４に進み、暗証番号一時記憶部３内の暗証番号Ａをクリアする。
一方、ステップＳＴ９において、ＩＤ番号照合結果がＯＫである（すなわち、ＹＥＳ）と判定されれば、暗証番号一時記憶部３内の暗証番号Ａ（ＰＩＮ）をＩＣカード６に送信する（ステップＳＴ１０）。
これにより、ＩＣカード６内の暗証番号照合手段（暗証情報照合手段）は、あらかじめ設定された暗証番号と操作入力された暗証番号Ａとが一致するか否かにより、暗証番号Ａの照合がＯＫか否かを判定する（ステップＳＴ１１）。
このように、ＩＣカード６内で暗証番号Ａの照合が行われることにより、暗証番号Ａの機密性が保持される。
【００１７】
ステップＳＴ１１において、暗証番号照合結果がＯＫである（すなわち、ＹＥＳ）と判定されれば、ＩＣカード６は、照合ＯＫを示す暗証番号照合結果Ｂを生成し、ＩＣカードＲ／Ｗ５は、照合ＯＫを示す暗証番号照合結果Ｂを受信して制御手段（図示せず）などに通知し（ステップＳＴ１２）、ドア開放などの応答制御に寄与させる。
一方、ステップＳＴ１１において、暗証番号Ａの照合結果がＯＫでない（すなわち、ＮＯ）と判定されれば、ＩＣカード６は、照合ＮＧを示す暗証番号照合結果Ｂを生成し、ＩＣカードＲ／Ｗ５は、照合ＮＧを示す暗証番号照合結果Ｂを制御手段などに通知し（ステップＳＴ１３）、ドア開放の禁止などの応答制御に寄与させる。
以下、各ステップＳＴ１２、ＳＴ１３に続いて、暗証番号一時記憶部３内の暗証番号Ａをクリアし（ステップＳＴ１４）、最後に、ＩＣカード６を非活性化して（ステップＳＴ１５）、図２の処理ルーチンを終了する。
【００１８】
このように、あらかじめ操作入力情報Ａ（暗証番号）の入力処理（ステップＳＴ２）を実行した後で、ＩＣカードＲ／Ｗ５に非接触のＩＣカード６をかざすことにより、ＩＣカード６をかざしながら暗証番号Ａの入力操作を行う必要性がなくなるので、暗証番号Ａの入力操作性を向上させつつ暗証番号Ａの照合結果Ｂを取得することができる。
また、ＩＣカード６の非活性化処理（ステップＳＴ１５）の前に、暗証番号一時記憶部３内の暗証番号クリア処理（ステップＳＴ１４）を実行することにより、事前に操作入力された暗証番号Ａを、ＩＣカード６の１回の操作に対してのみ有効となり、機密性が向上する。
なお、ここでは、固有情報および暗証情報として、ＩＤ番号Ｄおよび暗証番号（ＰＩＮ）Ａを用いたが、他の情報を用いた場合でも同等の作用効果を奏することは言うまでもない。
【図面の簡単な説明】
【００１９】
【図１】この発明の実施の形態１が適用される非接触ＩＣカードリーダを示すブロック図である。
【図２】この発明の実施の形態１による非接触ＩＣカードリーダ装置を示すフローチャートである。
【符号の説明】
【００２０】
１  入力装置、３  暗証番号一時記憶部、４  カード操作監視部、５  ＩＣカードＲ／Ｗ（ＩＣカードＩ／Ｆ手段）、６  ＩＣカード、Ａ  暗証番号（操作入力情報）、Ｂ  暗証番号照合結果、Ｃ  クリア指令、Ｄ  ＩＤ番号（固有情報）。
【図１】
2005071178.tif 000003
【図２】
2005071178.tif 000004